(57)【要約】【課題】複数の後処理を実現することができながらも、省スペース化が図り易い画像形成装置を提供する。【解決手段】本体２の内部に位置して画像が形成された用紙を排出する胴内排出部Ｃが、本体２の側面２ａの一部が開口する状態で設けられ、画像が形成された用紙の後処理を行う後処理部が胴内排出空間に設けられ、後処理部にて後処理された用紙を排出する積載トレイＧが本体２の側面２ａに突出する状態で取り付けられ、画像が形成された用紙の搬送路に外部から用紙を挿入するインサータＦが、平面視において積載トレイＧの投影面積を超えない範囲で積載トレイＧの上方又は下方に配設されている。【選択図】図１
2009300602.tif 000002
【特許請求の範囲】
【請求項１】
本体の内部に位置して画像が形成された用紙を排出する胴内排出部が、前記本体の側面の一部が開口する状態で設けられ、
画像が形成された前記用紙の後処理を行う後処理部が胴内排出空間に設けられ、前記後処理部にて後処理された前記用紙を積載する積載トレイが前記本体の側面に突出する状態で取り付けられた画像形成装置であって、
画像が形成された前記用紙の搬送路に外部から前記用紙を挿入するインサータが、平面視において前記積載トレイの投影面積を超えない範囲で前記積載トレイの上方又は下方に配設されている画像形成装置。
【請求項２】
前記インサータに前記用紙の表裏反転機構が設けられている請求項１に記載の画像形成装置。
【請求項３】
本体の内部に位置して画像が形成された用紙を排出する胴内排出部が、前記本体の側面の一部が開口する状態で設けられ、
画像が形成された前記用紙の後処理を行う後処理部を設け、前記後処理部にて後処理された前記用紙を積載する積載トレイが前記本体の側面に突出する状態で取り付けられた画像形成装置であって、
画像が形成された前記用紙の搬送路に外部から前記用紙を挿入するインサータを、前記胴内排出部の空間内に配設してある画像形成装置。
【発明の詳細な説明】
【技術分野】
【０００１】
本発明は、本体の内部に位置して画像が形成された用紙を排出する胴内排出部が、前記本体の側面の一部が開口する状態で設けられ、画像が形成された前記用紙の後処理を行う後処理部が胴内排出空間に設けられ、前記後処理部にて後処理された前記用紙を積載する積載トレイが前記本体の側面に突出する状態で取り付けられた画像形成装置に関する。
【背景技術】
【０００２】
従来、この種の画像形成装置では、単に、後処理部を胴内排出空間に設けるだけのものがあった（例えば、特許文献１参照。）。
【０００３】
【特許文献１】特開２００１−２３３５３５号公報
【発明の開示】
【発明が解決しようとする課題】
【０００４】
ところで、後処理部にインサータを追加する場合がある。後処理部がステープル処理部である場合を例に挙げて説明すると、画像が形成された用紙を排出するときにインサータで表紙をインサートし、ステープル処理部でスタックされた用紙を製本する場合がある。
このように、後処理部にインサータを追加する場合において、インサータを配設するための設置スペースが別に必要になることに起因して、省スペース化が図り難いという問題点があった。
【０００５】
本発明は、上記実状に鑑みて為されたものであって、その目的は、複数の後処理を実現することができながらも、省スペース化が図り易い画像形成装置を提供する点にある。
【課題を解決するための手段】
【０００６】
本発明の画像形成装置は、本体の内部に位置して画像が形成された用紙を排出する胴内排出部が、前記本体の側面の一部が開口する状態で設けられ、画像が形成された前記用紙の後処理を行う後処理部が胴内排出空間に設けられ、前記後処理部にて後処理された前記用紙を積載する積載トレイが前記本体の側面に突出する状態で取り付けられたものであって、その第１特徴構成は、画像が形成された前記用紙の搬送路に外部から前記用紙を挿入するインサータが、平面視において前記積載トレイの投影面積を超えない範囲で前記積載トレイの上方又は下方に配設されている点にある。
【０００７】
すなわち、画像が形成された前記用紙の搬送路に外部から前記用紙を挿入するインサータが、平面視において前記積載トレイの投影面積を超えない範囲で前記積載トレイの上方又は下方に配設されているので、複数の後処理を実現することができながらも、平面視においてインサータが積載トレイからはみ出さないものとなる等、省スペース化が図り易いものとなり、例えば、既存の画像形成装置にインサータを追加しようとしても、画像形成装置の設置スペースが限られているため、インサータを追加できない虞を無くすことができる。
【０００８】
本発明の第２特徴構成は、上記第１特徴構成に加えて、前記インサータに前記用紙の表裏反転機構が設けられている点を特徴とする。
【０００９】
すなわち、前記インサータに前記用紙の表裏反転機構が設けられているので、例えば、用紙の表裏を反転させることにより、画像が形成された用紙とインサートする用紙とを整合させることができる。
【００１０】
本発明の画像形成装置は、本体の内部に位置して画像が形成された用紙を排出する胴内排出部が、前記本体の側面の一部が開口する状態で設けられ、画像が形成された前記用紙の後処理を行う後処理部を設け、前記後処理部にて後処理された前記用紙を積載する積載トレイが前記本体の側面に突出する状態で取り付けられたものであって、その第３特徴構成は、画像が形成された前記用紙の搬送路に外部から前記用紙を挿入するインサータを、前記胴内排出部の空間内に配設してある点にある。
【００１１】
すなわち、画像が形成された前記用紙の搬送路に外部から前記用紙を挿入するインサータを、前記胴内排出部の空間内に配設してあるので、複数の後処理を実現することができながらも、平面視においてインサータが胴内排出部からはみ出さないものとなる等、省スペース化が図り易いものとなり、例えば、既存の画像形成装置にインサータを追加しようとしても、画像形成装置の設置スペースが限られているため、インサータを追加できない虞を無くすことができる。
【発明を実施するための最良の形態】
【００１２】
〔第１実施形態〕
以下、本発明に係る画像形成装置について説明する。
【００１３】
（画像形成装置の全体構成）
画像形成装置は、図１、図２に示すように、給紙トレイ１に収納された用紙Ｓを供給する給紙部Ａ、供給された用紙Ｓに画像を形成する画像形成部Ｂ、画像が形成された用紙Ｓを本体２の内部に位置して本体２の横側面２ａ及び前面２ｂが開口する状態で設けられた胴内排出部Ｃ内の排紙トレイ３に排出したり、画像が形成された用紙Ｓの後処理を行う後処理部としてのステープル処理部Ｄに供給する排紙部Ｅ、本体２の横側面２ａに突出する状態で取り付けられて、画像が形成された用紙Ｓの搬送路Ｈに外部から用紙Ｓを挿入するインサータＦ、本体２の横側面２ａに突出する状態で取り付けられて、インサータＦにてインサート処理され、ステープル処理部Ｄにてステープル処理され、排出された用紙Ｓ束を積載する積載トレイＧ、原稿を読み取る原稿読み取り部Ｉ等を備えている。
【００１４】
（給紙部の構成）
前記給紙部Ａは、本体２の手前側にスライド移動自在な給紙トレイ１を備え、トレイ１は繰り出し用ローラ４の駆動回転により用紙Ｓを画像形成部Ｂに向けて繰り出せるように構成してある。前記給紙トレイ１は、上下方向に重ねて収納してある複数枚の用紙Ｓを、最上部に位置する用紙Ｓにおける搬送方向（給紙方向）下手側部分が繰り出し用ローラ４に接触するようにコイルバネ５で弾性付勢する付勢板６を設けて、繰り出し用ローラ４の駆動回転で用紙Ｓを上から順に画像形成部Ｂに向けて繰り出し自在に構成してある。
【００１５】
（画像形成部の構成）
前記画像形成部１は、図２に示すように、感光体ドラム７の周りに、スコロトロン帯電器８、現像装置９、転写ローラ１０、クリーニング・除電装置１１等を配設するとともに、定着装置１２を設けて、原稿読み取り部Ｉで読み取った画像情報に基づいて感光体ドラム３の感光体表面に静電潜像を形成し、その静電潜像を現像したトナー像を給紙部Ａから給紙された用紙Ｓに転写して、トナー像を定着装置１２で定着させた後の用紙Ｓを排紙部Ｅに送り出すように構成してある。前記定着装置１２は、トナー像を転写してある用紙Ｓを加熱ローラ１２ａと加圧ローラ１２ｂとのニップ部で挟持して、用紙Ｓに転写してあるトナー像を加熱溶融させて定着させた後、その用紙Ｓを排紙部Ｅに向けて上向きに送り出すように構成してある。
【００１６】
（排紙部の構成）
前記排紙部Ｅは、図２に示すように、画像が形成された用紙Ｓを排紙トレイ３に排出する第１搬送路部分ｈ１と、ステープル処理部Ｄに供給する第２搬送路部分ｈ２とをＹ字分岐させた状態で配置してある。第１搬送路部分ｈ１と第２搬送路部分ｈ２との分岐箇所１３に切り換えレバー１４が設けられ、第１搬送路部分ｈ１の搬送方向下流側に一対の排紙ローラ１５が設けられている。そして、切り換えレバー１４を、第１搬送路部分ｈ１を開放しかつ第２搬送路部分ｈ２を閉塞する排紙トレイ排出位置に切り換えることにより、画像が形成された用紙Ｓを排紙ローラ１５にて排紙トレイ３に排出したり、切り換えレバー１４を、第１搬送路部分ｈ１を閉塞しかつ第２搬送路部分ｈ２を開放する供給位置に切り換えることにより、画像が形成された用紙Ｓをステープル処理部Ｄに供給できるように構成してある。
【００１７】
（ステープル処理部の構成）
前記ステープル処理部Ｄは、胴内排出空間に設けられて、画像が形成された用紙Ｓのステープル処理を行うものであり、図１、図２に示すように、用紙Ｓの位置を揃える位置揃え機構１６、交差する搬送路Ｈを切り換える搬送路切り換え機構１７等を備えている。
【００１８】
前記位置揃え機構１６は、画像が形成された用紙Ｓやインサートされた用紙Ｓをスタックする中間トレイ１８、積載トレイＧ側（左側）に横移動してスタックされた用紙Ｓを積載トレイＧ側（左側）に送り出し、後述するストッパ１９との当接により用紙Ｓの位置を横方向に揃える第１位置揃え部材２０、前後方向からの挟み込みによりスタックされた用紙Ｓの位置を前後方向に揃えてステープル処理位置まで移動させる第２位置揃え部材２１等を備えている。
【００１９】
前記搬送路切り換え機構１７は、図３に示すように、ケーシング２２内に、画像が形成された用紙Ｓを中間トレイ１８に供給する第３搬送路部分ｈ３と、中間トレイ１８にスタックされた用紙Ｓを積載トレイＧに排出する第４搬送路部分ｈ４とを交差させた状態で配置し、第３搬送路部分ｈ３と第４搬送路部分ｈ４との交差箇所２３より搬送方向下流側に合流する第５搬送路部分ｈ５を配置してある。
【００２０】
前記交差箇所２３に分岐レバー２４、２５が設けられ、第３搬送路部分ｈ３の搬送方向下流側に一対の第１搬送ローラ２６、２７が設けられ、第４搬送路部分ｈ４の搬送方向上流側に押圧コロ２８が設けられ、第４搬送路部分ｈ４の搬送方向下流側に一対の第２搬送ローラ２９、３０が設けられており、分岐レバー２４、２５を、第３搬送路部分ｈ３を開放しかつ第４搬送路部分ｈ４を閉塞する中間トレイ排出位置に切り換えることにより、画像が形成された用紙Ｓを第１搬送ローラ２６、２７にて中間トレイ１８に供給したり、分岐レバー２４、２５を、第３搬送路部分ｈ３を閉塞しかつ第４搬送路部分ｈ４を開放する積載トレイ排出位置に切り換えることにより、中間トレイ１８にスタックされた用紙Ｓを一方の第１搬送ローラ２７及び押圧コロ２８、並びに、第２搬送ローラ２９、３０にて積載トレイＧに排出するように構成してある。第４搬送路部分ｈ４の押圧コロ２８より搬送方向下流側にストッパ１９が設けられ、分岐レバー２４、２５を積載トレイ排出位置に切り換えたときに、スタックされた用紙Ｓに当接しない解除位置に切り換えるように構成してある。そして、ケーシング２２の上面の前側にステープラ３２が設置されている。
【００２１】
（インサータの構成）
前記インサータＦは、図１、図２、図４に示すように、用紙Ｓを載置する載置トレイとしてのインサート用トレイ３３、図示しないピックアップローラ、一対のインサート用ローラ３４、３５、一対のスイッチバック用ローラ４０、スイッチバック搬送路部分ｈ７等を備えて、そのインサート用トレイ３３上の用紙Ｓを、本体２の内部に設けられた用紙Ｓの搬送路Ｈへ向けて外部から挿入するように構成されている。そして、インサータＦが、平面視において積載トレイＧの投影面積を超えない範囲で積載トレイＧの上方に配設されている。これにより、複数の後処理を実現することができながらも、平面視においてインサータＦが積載トレイＧからはみ出さないものとなる等、省スペース化が図り易いものとなり、例えば、既存の画像形成装置にインサータＦを追加しようとしても、画像形成装置の設置スペースが限られているため、インサータＦを追加できない虞を無くすことができる。
【００２２】
以下、画像が形成された用紙Ｓを排出するときにインサータＦから用紙Ｓをインサートし、スタックされた用紙Ｓをステープル処理して積載トレイＧに排出する構成について説明する。
【００２３】
図３（ａ）に示すように、分岐レバー２４、２５を中間トレイ排出位置に切り換え、図示しないピックアップローラ、インサート用ローラ３４、３５、第１搬送ローラ２６、２７にてインサータＦから用紙Ｓをインサートする。図３（ｂ）に示すように、分岐レバー２４、２５を中間トレイ排出位置に維持し、第１搬送ローラ２６、２７にて画像が形成された用紙Ｓを中間トレイ１８に供給する。そして、第１位置揃え部材２０にてスタックされた用紙Ｓを積載トレイＧ側（左側）に送り出し、ストッパ１９との当接によりスタックされた用紙Ｓの位置を横方向に揃え、第２位置揃え部材２１にて前後方向からの挟み込みによりスタックされた用紙Ｓの位置を前後方向に揃えてステープル処理位置まで移動させ、ステープラ３２にてスタックされた用紙Ｓをステープル処理する。そして、図３（ｃ）に示すように、分岐レバー２４、２５を積載トレイ排出位置に切り換え、ストッパ１９を解除位置に切り換え、一方の第１搬送ローラ２７及び押圧コロ２８、並びに、第２搬送ローラ２９、３０にてステープル処理された用紙Ｓを積載トレイＧに排出する。
尚、インサータＦに用紙Ｓの表裏反転機構ＨＨが設けられており、用紙Ｓをスイッチバック搬送路部分ｈ７に送り、スイッチバック用ローラ４０にてスイッチバックして用紙Ｓの表裏を反転させたのち、第５搬送路部分ｈ５を通って、第１搬送ローラ２６、２７にて用紙Ｓをインサートする。これにより、画像が形成された用紙とインサートする用紙とを整合させることも可能である。
【００２４】
〔第２実施の形態〕
この実施形態では、第１実施形態の構成と異なる構成についてのみ説明し、同じ構成については説明を省略する。
【００２５】
第１実施形態では、インサータＦは、本体２の横側面２ａに突出する状態で取り付けられ、第３搬送路部分ｈ３と第４搬送路部分ｈ４との交差箇所２３より搬送方向下流側に合流する第５搬送路部分ｈ５を配置し、インサータＦから用紙Ｓを第５搬送路部分ｈ５を通してインサートするのに対して、第２実施形態では、図５〜図７に示すように、インサータＦは、胴内排出部Ｃの空間内に配設してあり、第３搬送路部分ｈ３と第４搬送路部分ｈ４との交差箇所２３より搬送方向上流側に合流する第６搬送路部分ｈ６を配置し、インサータＦから用紙Ｓを第６搬送路部分ｈ６を通してインサートするように構成してある。尚、ステープル処理部Ｄは本体２の内部に配設されている。これにより、複数の後処理を実現することができながらも、平面視においてインサータＦが胴内排出部Ｃからはみ出さないものとなる等、省スペース化が図り易いものとなり、例えば、既存の画像形成装置にインサータＦを追加しようとしても、画像形成装置の設置スペースが限られているため、インサータＦを追加できない虞を無くすことができる。
【００２６】
以下、画像が形成された用紙Ｓを排出するときにインサータＦから用紙Ｓをインサートし、スタックされた用紙Ｓをステープル処理して積載トレイＧに排出する構成について説明する。
【００２７】
図７（ａ）に示すように、分岐レバー２４、２５を中間トレイ排出位置に切り換え、ピックアップローラ３６、第１搬送ローラ２６、２７にてインサータＦから用紙Ｓをインサートする。図７（ｂ）に示すように、分岐レバー２４、２５を中間トレイ排出位置に維持し、第１搬送ローラ２６、２７にて画像が形成された用紙Ｓを中間トレイ１８に供給する。そして、第１位置揃え部材２０にてスタックされた用紙Ｓを積載トレイＧ側（左側）に送り出し、ストッパ１９との当接によりスタックされた用紙Ｓの位置を横方向に揃え、第２位置揃え部材２１にて前後方向からの挟み込みによりスタックされた用紙Ｓの位置を前後方向に揃えてステープル処理位置まで移動させ、ステープラ３２にてスタックされた用紙Ｓをステープル処理する。そして、図７（ｃ）に示すように、分岐レバー２４、２５を積載トレイ排出位置に切り換え、ストッパ１９を解除位置に切り換え、一方の第１搬送ローラ２７及び押圧コロ２８、並びに、第２搬送ローラ２９、３０にてステープル処理された用紙Ｓを積載トレイＧに排出する。
【００２８】
〔別実施の形態〕
（１）上記実施の形態では、インサータＦが、平面視において積載トレイＧの投影面積を超えない範囲で積載トレイＧの上方に配設される構成を例示したが、これに限られるものではなく、例えば、図８に示すように、インサータＦが、平面視において積載トレイＧの投影面積を超えない範囲で積載トレイＧの下方に配設されて、インサータＦに備えられた図示しないピックアップローラ、インサート用ローラ３４、３５にて用紙Ｓを第７搬送路部分ｈ８に送り、胴内排出部Ｃで用紙Ｓを反転させたのち、第２搬送路部分ｈ２、第３搬送路部分ｈ３を通って、第１搬送ローラ２６、２７にて用紙Ｓをインサートする構成としてもよい。
【００２９】
（２）上記実施の形態では、後処理部が用紙Ｓをステープル処理するステープル処理部Ｄである構成を例示したが、これに限られるものではなく、後処理部が用紙Ｓをパンチ処理するパンチ処理部であってもよく、種々の後処理が適用可能である。
【図面の簡単な説明】
【００３０】
【図１】第１実施形態における画像形成装置の全体斜視図
【図２】第１実施形態における画像形成装置の断面側面図
【図３】第１実施形態における後処理部の断面側面図
【図４】第１実施形態における画像形成装置の全体平面図
【図５】第２実施形態における画像形成装置の全体斜視図
【図６】第２実施形態における画像形成装置の断面側面図
【図７】第２実施形態における後処理部の断面側面図
【図８】別実施形態における画像形成装置の断面側面図
【符号の説明】
【００３１】
２          本体
２ａ        側面
Ｃ          胴内排出部
Ｄ          後処理部
Ｆ          インサータ
Ｇ          積載トレイ
Ｈ          搬送路
【図１】
2009300602.tif 000003
【図２】
2009300602.tif 000004
【図３】
2009300602.tif 000005
【図４】
2009300602.tif 000006
【図５】
2009300602.tif 000007
【図６】
2009300602.tif 000008
【図７】
2009300602.tif 000009
【図８】
2009300602.tif 000010